(57)【要約】【課題】照明器具の落下の危険性を防止することができる照明器具取付装置を提供することである。【解決手段】  引掛シーリングボディ２が側面に係止段３を有し下面に下面接続部２ａを有して天井面１に設置される。照明器具のホルダ４は係止段３に係止する係止片５を有して引掛シーリングボディ２に保持される。プラグ６は下面接続部２ａに引掛接続する引掛刃６ａを有し、ホルダ４の下面に当たる係合部７を有する。  万一引掛シーリングボディから照明器具が外れても、係合部によって照明器具のホルダを保持することができるので、器具落下の恐れがない。【選択図】        図１
2004356107.tif 000002
【特許請求の範囲】
【請求項１】
側面に係止段を有し下面に下面接続部を有して天井面に設置される引掛シーリングボディと、前記係止段に係止する係止片を有して前記引掛シーリングボディに保持されるホルダをもった照明器具と、前記下面接続部に引掛接続する引掛刃を有するプラグとを備えた照明器具取付装置において、前記プラグは前記ホルダの下面に当たる係合部を有することを特徴とする照明器具取付装置。
【請求項２】
天井面に設置される引掛シーリングボディと、側面に係止段を有し下面に下面接続部を有して前記引掛シーリングボディに電気的・機械的に接続されたアダプタと、前記係止段に係止する係止片を有して前記アダプタに保持されるホルダをもった照明器具と、前記下面接続部に引掛接続する引掛刃を有するプラグとを備えた照明器具取付装置において、前記プラグは前記ホルダの下面に当たる係合部を有することを特徴とする照明器具取付装置。
【請求項３】
前記ホルダの前記プラグとの接触面に断面が円弧状の円環状突条を設けた請求項１または請求項２記載の照明器具取付装置。
【請求項４】
前記アダプタは下面にロック解除ボタンを露出し、前記プラグは接続状態で前記ロック解除ボタンが隠れるようにしている請求項２記載の照明器具取付装置。
【請求項５】
前記係止片は前記ホルダの下面より露出する解除操作部を有し、前記プラグはその接続により前記解除操作部の操作を邪魔するように前記解除操作部の操作面を覆う請求項１、請求項２、請求項３または請求項４記載の照明器具取付装置。
【請求項６】
前記係止片は前記ホルダの下面より露出する解除操作部を有し、前記プラグはその接続により前記解除操作部の解除動作を阻止する請求項１、請求項２、請求項３、請求項４または請求項５記載の照明器具取付装置。
【発明の詳細な説明】
【技術分野】
【０００１】
この発明は、照明器具取付装置に関するものである。
【背景技術】
【０００２】
従来は、照明器具を天井に取付けるために、天井面に取付けられた引掛シーリングボディに照明器具を取付けるか、または引掛シーリングボディに電気的・機械的にアダプタを接続し、そのアダプタに照明器具を取付けていた（例えば特許文献１参照）。
【０００３】
照明器具とアダプタの電気接続は、照明器具とアダプタの機械的接続と同時に直接接触する端子部をもつもの、アダプタにリード線が接続されていて、そのリード線を照明器具の電源端子に接続するもの、あるいはその逆として照明器具からのリード線をアダプタの出力端子に接続するものがある。アダプタの端子例としては、半田付端子、速結端子、ねじ端子、コネクタ端子などがある。しかし、これらの端子は電気的接続を行なうものであって、器具を保持する機械的な保持機能はない。
【０００４】
照明器具をアダプタに機械的に保持する手段は、アダプタとホルダの係止によっており、アダプタの側面に設けられた凸部または溝等による係止段にホルダに設けた係止片を係止させている。またその逆の場合もある。
【特許文献１】特開平７−３７４１０号
【発明の開示】
【発明が解決しようとする課題】
【０００５】
通常、係止片は、引掛シーリングボディやアダプタに対して対向して一対配置され、その動きは互いに独立している。そのため、照明器具を傾けた状態のまま取付けようとした場合、片側の係止片だけが係止した状態を保持する場合があり、そのままコネクタ等で電気接続をされると、機械的接続は中途半端の状態で使用されてしまうことがある。
【０００６】
このように、中途半端の状態で使用されると、スイッチの引っ張り操作や地震などの衝撃により、照明器具が落下する危険性があった。
【０００７】
したがって、この発明の目的は、照明器具の落下の危険性を防止することができる照明器具取付装置を提供することである。
【課題を解決するための手段】
【０００８】
この発明の照明器具取付装置は、引掛シーリングボディが側面に係止段を有し下面に下面接続部を有して天井面に設置される。照明器具は前記係止段に係止する係止片を有して前記引掛シーリングボディに保持されるホルダをもっている。プラグは前記下面接続部に引掛接続する引掛刃を有し、前記ホルダの下面に当たる係合部を有する。
【０００９】
この発明の別の照明器具取付装置は、引掛シーリングボディが天井面に設置される。アダプタは側面に係止段を有し下面に下面接続部を有して前記引掛シーリングボディに電気的・機械的に接続されている。照明器具は前記係止段に係止する係止片を有して前記アダプタに保持されるホルダをもっている。プラグは前記下面接続部に引掛接続する引掛刃を有するとともに前記ホルダの下面に当たる係合部を有する。
【００１０】
上記構成において、前記ホルダの前記プラグとの接触面に断面が円弧状の円環状突条を設けている。
【００１１】
上記構成において、前記アダプタは下面にロック解除ボタンを露出し、前記プラグは接続状態で前記ロック解除ボタンが隠れるようにしている。
【００１２】
上記構成において、前記係止片は前記ホルダの下面より露出する解除操作部を有し、前記プラグはその接続により前記解除操作部の操作を邪魔するように前記解除操作部の操作面を覆う。
【００１３】
上記構成において、前記係止片は前記ホルダの下面より露出する解除操作部を有し、前記プラグはその接続により前記解除操作部の解除動作を阻止する。
【発明の効果】
【００１４】
この発明の照明器具取付装置によれば、引掛シーリングボディまたはアダプタとホルダとの係止が、照明器具の取付挿入不足などの理由で不完全なため、万一引掛シーリングボディまたはアダプタから照明器具が外れてしまっても、係合部によって照明器具のホルダを保持することができるので、器具落下の恐れがない。
【００１５】
ホルダの前記プラグとの接触面に断面が円弧状の円環状突条を設けているため、ホルダとプラグの接触が線接触となるので、摩擦力が小さくプラグの取付けが楽に行なえる。
【００１６】
アダプタが下面にロック解除ボタンを露出し、前記プラグは接続状態で前記ロック解除ボタンが隠れるようにしているため、プラグ取付状態では、アダプタのロック解除ボタンが隠れるため、取外しの操作順序を間違うことがなく、取外し中の突然の落下がなく安全である。
【００１７】
係止片が解除操作部を有し、前記ホルダは前記解除操作部を下面に露出し、前記プラグはその接続により前記解除操作部の操作を邪魔するように解除操作部の操作面を覆うため、プラグ取付状態では、ホルダの解除操作部が隠れるので、必ずプラグを先に外さなければ器具を取り外せないので取外しの操作順序を間違うことがなく、取外し中の突然の器具落下がなく安全である。
【００１８】
係止片が解除操作部を有し、前記ホルダは前記解除操作部を下面に露出し、前記プラグはその接続により前記解除操作部の解除動作を阻止するため、プラグを取付けると、ホルダの解除操作部の動きを規制するので、地震などの外力が加わっても係止片は動かないので係止が外れて落下する恐れがない。
【発明を実施するための最良の形態】
【００１９】
この発明の第１の実施の形態を図１から図７により説明する。すなわち、この照明器具取付装置は、天井面１に設置された引掛シーリングボディ２の係止段３に、照明器具８に設けられたホルダ４の係止片５を係止して照明器具８を引掛シーリングボディ２に機械的に保持し、引掛シーリングボディ２の下面接続部２ａに接続するプラグ６によって引掛シーリングボディ２と照明器具８との電気的接続を行なうものである。このような、照明器具取付装置において、特にプラグ６を下面接続部２ａに接続する際にホルダ４に係合して、係止片５を係止段３に係止させることにより、係止段３と係止片５との係止不良を防止するための係合部７をプラグ６に備えている。
【００２０】
引掛シーリングボディ２は天井面１に直接取付けらた略円筒形であり、下端部につば状の係止段３を形成し、下面接続部２ａは一対の円弧状の接続孔と、その内部に設けられてプラグ６を電気的機械的に接続する引掛具（図示せず）とを備えている。
【００２１】
照明器具８において、図２に示すように、９は器具本体、１０は本体カバー、１１は環形ランプ、１２はグローブである。
【００２２】
ホルダ４は図３および図４に示すように、ホルダ本体１３が中央に引掛シーリングボディ２に外嵌合できる大きさの嵌合孔１４を形成し、嵌合孔１４の両側に下面および嵌合孔１４の双方に切欠状に開口した凹部１５を形成し、凹部１５をカバー１６で被覆して嵌合孔１４に向いた係止片突出用開口１７を形成している。カバー１６には下面開口１８を形成している。凹部１５には係止片５およびコイルばねを用いたばね２０を納め、係止片５の先端の係止爪２１を係止片突出用開口１７に進退自在に通し、ばね２０で嵌合孔１４内に突出付勢している。係止爪２１は上面側にテーパ面を形成し、引掛シーリングボディ２の係止段３への係止を容易にしている。また係止片５に解除操作部２２を垂下し、カバー１６の下面開口１８を通して下方に突出している。
【００２３】
このホルダ４は器具本体９の中央開口に取付けられる。器具本体９に取付けられたホルダ４の嵌合孔１４を引掛シーリングボディ２に嵌合するように押し上げると、係止爪２１のテーパ面が係止段３の下側に当接しばね２０に抗して係止段３をスライドして係止爪２１が後退し、係止爪２１が係止段３を乗り越えるとばね２０が復元して図１に示すように係止爪２１が係止段３の上側に係止する。これにより照明器具８が引掛シーリングボディ２に機械的に取付けられた状態となる。
【００２４】
一方、照明器具８を引掛シーリングボディ２から外すときは、係止片５の解除操作部２２を嵌合孔１４から離れる方向にばね２０に抗してスライドすると、係止爪２１が係止段３から離脱し照明器具８を引掛シーリングボディ２から外すことができる。
【００２５】
つぎにプラグ６は一方向に長い直方体で両端部を傾斜して逆台形をなしている。引掛シーリングボディ２の下面接続部２ａの一対の円弧状の接続孔に挿入される引掛刃６ａを上面に突設し、引掛刃６ａを接続孔に挿入し回転することにより引掛具に引っ掛かり、電気的・機械的に接続される。係合部７は、プラグ６が引掛シーリングボディ２の外径以上の長さになるように長手方向の両端より、台形の底部（上面）側から外方に延出され、プラグ６を接続する際にホルダ４を押し上げるようにしている。すなわち図６に示すようにプラグ６の長さＬ＞引掛シーリングボディ２の外径の関係にしている。従来はこの逆で、プラグ６の長さ＜引掛シーリングボディ外径の関係にあった。６ｂはプラグ６のリード線である。
【００２６】
図５はホルダ４の片方の係止爪２１が係止段３に係止し、他の片方の係止爪２１は係止段３にまだ係止せずに、ホルダ４が傾斜した状態である。このような状態は照明器具８を傾けた状態で取付けようとすると片方の係止片２１が先に係止してしまい、取付操作が途中でやめられると片係りの状態で保持される可能性がある。この状態でプラグ６を引掛シーリングボディ２の下面接続部２ａに引っ掛けるとき、プラグ６の端部の係合部７がホルダ４の下がっている方に当たり、このままではプラグ６の引掛刃６ａが引掛具に係止できない。図１の状態にプラグ６の係合部７でホルダ４を押し上げるか、または器具本体８を押して正しい姿勢に押し上げると、プラグ６の引掛刃６ａが引掛具に接続可能となる。プラグ６の取付位置（プラグ端面６ｃとシーリング端面２ｃとが接触する位置）では引掛シーリングボディ２の係止段３とホルダ４の係止片５の高さが等しく係止爪２１が係止段３に完全に係止する。
【００２７】
図７は、引掛シーリング端面２ｃとホルダ面４ａを同一高さ面とした場合を示している。このとき、係止片５の係止面２１ａとプラグ６と接触するホルダ面４ａとの距離Ａは、引掛シーリングボディ２の係止段３の係止面とホルダ面４ａと接触するプラグ端面６ｃとの距離Ｂと等しい。
【００２８】
この実施の形態によれば、引掛シーリングボディ２とホルダ４との係止が、照明器具８の取付挿入不足などの理由で不完全であっても、プラグ６の電気接続操作によって係合部７でホルダ４の挿入不良を補い、ホルダ４を引掛シーリングボディ２に完全に係止させることができるため、中途半端な取付状態で使われることなく落下の恐れがない。プラグ６の係合部７がホルダ４を押し上げるため、ホルダ４の係止片５が破損した場合でも、プラグ６でホルダ４を受けることができるので、落下に対して二重の安全構造となっている。
【００２９】
この発明の第２の実施の形態を図８および図９により説明する。すなわち、この照明器具取付装置は、天井面１に設置された引掛シーリングボディ２に電気的・機械的に接続されたアダプタ３０の係止段３０ｂに、照明器具８に設けられたホルダ４の係止片５を係止して照明器具８を引掛シーリングボディ２に機械的に保持するものである。この実施の形態では引掛シーリングボディ２には係止段３０ｂを設けていないほか、その他の構成は第１の実施の形態と同様である。
【００３０】
アダプタ３０は、引掛シーリングボディ２の下面接続部２ａに接続する引掛刃３０ａを上面に設け、周面に係止片５が係止する係止段３０ｂを設け、下面にプラグ６の引掛刃６ａが引っ掛かる、下面接続部２ａと同構成の接続部３０ｃを設けている。
【００３１】
第２の実施の形態の動作および作用効果は、第１の実施の形態と同様である。
【００３２】
この発明の第３の実施の形態を図１０に示す。すなわち、この照明器具取付装置は、係止片５が係止段３に係止した状態で引掛シーリング端面２ｃとホルダ面４ａが段違いとなり、とくに引掛シーリング端面２ｃよりもホルダ面４ａ側が天井側に凹んでいる場合である。この場合、プラグ６の係合部７は上向きに凸に形成されて、係合部７の先端がホルダ面４ａに当接しホルダ４を押し上げて係止片５が係止段３に係止したときにプラグ６の引掛刃６ａが下面接続部２ａに接続されるようにしている。
【００３３】
その他は第１の実施の形態または第２の実施の形態と同様である。
【００３４】
この発明の第４の実施の形態を図１１および図１２に示す。すなわち、この照明器具取付装置は、引掛シーリング端面２ｃとホルダ面４ａが段違いとなり、とくに引掛シーリング端面２ｃよりもホルダ面４ａ側が床側に突出している場合である。この場合、プラグ６の係合部７は切欠状に形成されて、係合部７の切欠部分でホルダ４を押し上げて係止片６が係止段３に係止したときにプラグ６の引掛刃６ａが下面接続部２ａに接続されるようにしている。
【００３５】
その他は第１の実施の形態または第２の実施の形態と同様である。
【００３６】
この発明の第５の実施の形態を図１３から図１５に示す。すなわち、この照明器具取付装置は、プラグ６の縁部に当接して照明器具８の水平方向のがたつきを規制するための係止段部３３を、ホルダ４に設けている。実施の形態では係止段部３３がプラグ６をガイドするようにホルダ４の下面にカバー１６にまたがって円筒状に形成している。その他は第１の実施の形態または第２の実施の形態と同様である。
【００３７】
この実施の形態によれば、引掛シーリングボディ２の寸法ばらつきや熱収縮（引掛シーリングボディ２は熱硬化性樹脂が通常使われるため収縮が大きい）などによって引掛シーリングボディ２とホルダ４との間に隙間が開いた場合、ホルダ４すなわち照明器具８が水平方向にがたつくが、係止段部３３によってプラグ６をガイドするため引掛シーリングボディ２の径によらず、ホルダ４とプラグ６によって水平方向の位置が規制されるため、がたつきを押えることができ、片寄せ状態になることもない。
【００３８】
また係合部７がホルダ４の下面に係合して外れないため、器具落下のおそれがない。
【００３９】
この発明の第６の実施の形態を図１６から図１８に示す。すなわち、この照明器具取付装置は、ホルダ４のプラグ６との接触面に断面が円弧状例えばＲ曲線の円環状突条３４を設けたものである。
【００４０】
この実施の形態によれば、ホルダ４とプラグ６の係合部７の接触が線接触となるため、摩擦力が小さくプラグ６の取付けが楽に行なえる。
【００４１】
その他は第１の実施の形態または第２の実施の形態、その他の実施の形態と同様である。
【００４２】
この発明の第７の実施の形態を図１９から図２０に示す。すなわち、この照明器具取付装置は、アダプタ３０が下面にロック解除ボタン３６を露出し、プラグ６のアダプタ３０の下面接続部３０ｃへの接続状態でロック解除ボタン３６がプラグ６に隠れるように配置されている。ロック解除ボタン３６はアダプタ３０の上面にばね（図示せず）により突出したロックピン３７を後退操作するもので、アダプタ３０の下面から操作できるように下面に露出している。ロックピン３７は図２０に示すように引掛刃３０ａの一方の近くに突出して引掛シーリングボディ２の下面接続部２ａの円弧状接続孔の端部の引掛刃挿入位置に挿入しアダプタ３０が外れる方向に回転するのを規制してアダプタ３０が不用意に外れるのを防止する。またロック解除ボタン３６はプラグ６の引掛刃６ａをアダプタ３０の下面接続部２ａに差込み回転したときに隠れる位置に配置されている。
【００４３】
第７の実施の形態によれば、アダプタ３０を使用している場合、プラグ取付状態では、アダプタ３０のロック解除ボタン３６が隠れるため、取外しの操作順序を間違うことがなく、取外し中の突然の落下がなく安全である。
【００４４】
その他は第２の実施の形態と同様である。
【００４５】
この発明の第８の実施の形態を図２１および図２２に示す。すなわち、この照明器具取付装置は、第７の実施の形態において、プラグ６を円盤状に形成して、アダプタ３０への接続状態でアダプタ３０の全体を隠蔽するものである。
【００４６】
その他は第７の実施の形態と同様である。
【００４７】
この発明の第９の実施の形態を図２３および図２４に示す。すなわち、この照明器具取付装置は、ホルダ４は係止片５の解除操作部２２を下面に露出し、プラグ６はその接続により解除操作部２２の操作を邪魔するように構成している。
【００４８】
実施の形態ではプラグ６を円盤状に形成し、かつ係合部７よりも外方に、解除操作部２２の操作面に人の手の指がかからないように操作面を覆う操作面覆い部３９を延出し、解除操作部２２の表面に沿うようにテーパを付けている。
【００４９】
その他は第１の実施の形態または第２の実施の形態と同様である。
【００５０】
この実施の形態によれば、プラグ６を取付けた状態ではホルダ４の係止片５の解除操作部７２に指を当てられないため解除できず、誤操作（プラグ６を付けたままの解除）の防止ができる。
【００５１】
この発明の第１０の実施の形態を図２５および図２６に示す。すなわち、この照明器具取付装置は、第９の実施の形態において、プラグ６の操作面覆い部３９より外方に突出するつばを設けて解除操作部２２の下面を覆う解除操作部覆い部４０を設けている。プラグ６を引掛シーリングボディ２に接続した状態ではホルダ４の解除操作部２２が見えないため解除操作することができない。
【００５２】
その他は、第９の実施の形態と同様である。
【００５３】
この発明の第１１の実施の形態を図２７および図２８に示す。すなわち、この照明器具取付装置は、ホルダ４が係止片５の解除操作部２２を下面に露出し、プラグ６はその接続により解除操作部２２の動きを規制する規制部４４を設けたものである。
【００５４】
実施の形態の規制部４４は円盤状のプラグ６の外周に断面かぎ状のつばを設け、プラグ６を引掛シーリングボディ２に接続した状態で解除操作部２２の下端につばのかぎ部を引っ掛けている。
【００５５】
したがって、プラグ６を引掛シーリングボディ２に取付けると、プラグ６に設けた規制部４４がホルダ４の係止片５の解除操作部２２の解除方向への動きを規制するため、係止片５に横方向の力、例えば傾斜天井への取付けや地震などによって外れることが防止できる。
【００５６】
またプラグ６を円盤状にした場合、引掛シーリングボディ２とホルダ４の隙間の全周にわたってプラグ６が覆うため防虫効果がある。またプラグ６と係止片５の解除操作部２２が凹凸嵌合しているため係止片５が完全嵌合していない中途の位置ではプラグ６が引掛シーリングボディ２に取付かないので不完全嵌合を防止できる。
【００５７】
なお、第９の実施の形態から第１１の実施の形態では、引掛シーリングボディ２とホルダ４の取付角度を凸凹のリブ等で制限をかけるなどにより、例えば略直方形状等の角形でもプラグ６を接続した状態で解除操作部２２の操作ができないようにすることが可能である。
【００５８】
また引掛シーリングボディ２に直接プラグ６を接続した実施の形態は、プラグ６をアダプタ３０に接続する場合にも適用可能である。
【００５９】
さらにこの発明において、係止段３は凸に突出する構造に限らず、凹に形成する周溝等でもよい。
【００６０】
また、上記の各実施の形態の相互は、可能な範囲で構成部分の組合せが可能である。
【図面の簡単な説明】
【００６１】
【図１】この発明の第１の実施の形態の部分断面図である。
【図２】全体の分解斜視図である。
【図３】ホルダとプラグの接続前の斜視図である。
【図４】ホルダの分解斜視図である。
【図５】ホルダの片方の係止片のみが係止した状態の断面図である。
【図６】ホルダおよびプラグの接続状態の底面図である。
【図７】係止片と係止段と係合部の位置関係を示す部分断面図である。
【図８】第２の実施の形態の全体の分解斜視図である。
【図９】アダプタ、ホルダおよびプラグの接続前の分解斜視図である。
【図１０】第３の実施の形態の係止状態の断面図である。
【図１１】第４の実施の形態の係止状態の断面図である。
【図１２】その係止片と係止段と係合部の位置関係を示す部分断面図である。
【図１３】第５の実施の形態の係止状態の断面図である。
【図１４】ホルダおよびプラグの接続状態の底面図である。
【図１５】ホルダおよびプラグの接続前の分解斜視図である。
【図１６】第６の実施の形態のホルダおよびプラグの接続状態の底面図である。
【図１７】その係止状態の断面図である。
【図１８】その部分拡大図である。
【図１９】第７の実施の形態のホルダおよびプラグの接続状態の底面図である。
【図２０】そのアダプタの斜視図である。
【図２１】第８の実施の形態のホルダおよびプラグの接続前の分解斜視図である。
【図２２】その接続状態の底面図である。
【図２３】第９の実施の形態の係止状態の断面図である。
【図２４】ホルダおよびプラグの接続前の分解斜視図である。
【図２５】第１０の実施の形態の係止状態の断面図である。
【図２６】ホルダおよびプラグの接続前の分解斜視図である。
【図２７】第１１の実施の形態の係止状態の断面図である。
【図２８】ホルダおよびプラグの接続前の分解斜視図である。
【符号の説明】
【００６２】
１ 天井面
２ 引掛シーリングボディ
２ａ 下面接続部
３ 係止段
４ ホルダ
５ 係止片
６ プラグ
６ａ 引掛刃
７ 係合部
８ 照明器具
２１ 係止爪
２２ 解除操作部
３０ｂ 係止段
３３ 係止段部
３４ 突条
３６ ロック解除ボタン
４４ 規制部
【図１】
2004356107.tif 000003
【図２】
2004356107.tif 000004
【図３】
2004356107.tif 000005
【図４】
2004356107.tif 000006
【図５】
2004356107.tif 000007
【図６】
2004356107.tif 000008
【図７】
2004356107.tif 000009
【図８】
2004356107.tif 000010
【図９】
2004356107.tif 000011
【図１０】
2004356107.tif 000012
【図１１】
2004356107.tif 000013
【図１２】
2004356107.tif 000014
【図１３】
2004356107.tif 000015
【図１４】
2004356107.tif 000016
【図１５】
2004356107.tif 000017
【図１６】
2004356107.tif 000018
【図１７】
2004356107.tif 000019
【図１８】
2004356107.tif 000020
【図１９】
2004356107.tif 000021
【図２０】
2004356107.tif 000022
【図２１】
2004356107.tif 000023
【図２２】
2004356107.tif 000024
【図２３】
2004356107.tif 000025
【図２４】
2004356107.tif 000026
【図２５】
2004356107.tif 000027
【図２６】
2004356107.tif 000028
【図２７】
2004356107.tif 000029
【図２８】
2004356107.tif 000030